(57)【要約】【課題】手摺壁に太陽電池パネルを備え付けた太陽電池パネル付きバルコニーにおいて、太陽電池パネルに接続した電気ケーブルの取り込みを見栄え良く安全に行う。【解決手段】この太陽電池パネル付きバルコニーにおいては、腰壁６の上側に立設した太陽電池パネル３と、太陽電池パネル３の裏面側を覆い隠すように、腰壁６の上側に立設した被覆パネル７との間の遮蔽空間を配線用空間Ｓ１としている。そして、腰壁６の内部空間Ｓ３と配線用空間Ｓ１とを連通するガイド筒４０を、腰壁６の上端部に貫通保持して、太陽電池パネル３に接続した電気ケーブル３３を、配線用空間Ｓ１、ガイド筒４０、腰壁６の内部空間Ｓ３を通してバルコニー床１の床下空間Ｓ４へ引き込むようにしている。【選択図】図３
2014043677.tif 000002
【特許請求の範囲】
【請求項１】
バルコニー床（１）の外周梁（４）の上側に立設した腰壁（６）と、この腰壁（６）の上側に立設した太陽電池パネル（３）と、この太陽電池パネル（３）の裏面側を覆い隠すように、前記腰壁（６）の上側に立設した被覆パネル（７）と、前記太陽電池パネル（３）及び被覆パネル（７）の上端部間に跨るように設けた笠木（８）とを備え、前記太陽電池パネル（３）と被覆パネル（７）との間の遮蔽空間を配線用空間（Ｓ１）とした太陽電池パネル付きバルコニーであって、前記腰壁（６）の内部空間（Ｓ３）と前記配線用空間（Ｓ１）とを連通するガイド筒（４０）を、前記腰壁（６）の上端部に貫通保持して、前記太陽電池パネル（３）に接続した電気ケーブル（３３）を、前記配線用空間（Ｓ１）、前記ガイド筒（４０）、前記腰壁（６）の内部空間（Ｓ３）を通して前記バルコニー床（１）の床下空間（Ｓ４）へ引き込むようにしたことを特徴とする太陽電池パネル付きバルコニー。
【請求項２】
前記ガイド筒（４０）及び前記腰壁（６）の内部空間（Ｓ３）を通って前記バルコニー床（１）の床下空間（Ｓ４）へ至る可撓性を有する保護チューブ（４１）を設けて、この保護チューブ（４１）に前記電気ケーブル（３３）を挿通させた請求項１記載の太陽電池パネル付きバルコニー。
【請求項３】
前記腰壁（６）は、枠状の壁フレーム（２０）と、この壁フレーム（２０）の外面側に張り付けた外壁材（２１）と、前記壁フレーム（２０）の内面側に張り付けた内壁材（２２）と、前記壁フレーム（２０）の上側横枠材（２０ａ）の上面に取り付けた下地材（２３）と、この下地材（２３）に被せた捨水切り材（２４）と、この捨水切り材（２４）を上方から覆う下笠木（２５）とを備え、前記ガイド筒（４０）を、前記下笠木（２５）、捨水切り材（２４）及び下地材（２３）を貫通させた状態で前記壁フレーム（２０）の上側横枠材（２０ａ）に貫通保持して、前記捨水切り材（２４）における前記ガイド筒（４０）の貫通部分に、前記ガイド筒（４０）に外嵌する筒状パッキン（４３）を取り付けた請求項１又は２記載の太陽電池パネル付きバルコニー。
【請求項４】
前記下笠木（２５）における前記ガイド筒（４０）の貫通部分に、前記ガイド筒（４０）を挿入するカバー筒（４６）を立設して、前記ガイド筒（４０）の上端開口（４０ａ）よりも上方に位置する前記カバー筒（４６）の上端開口（４６ａ）を、蓋部材（５０）によって覆うようにした請求項３記載の太陽電池パネル付きバルコニー。
【請求項５】
前記蓋部材（５０）は、前記カバー筒（４６）の上端開口（４６ａ）を塞ぐ上面部（５１）と、この上面部（５１）の周端から垂下して、前記カバー筒（４６）の上端部を外側から囲む枠部（５２）とを備え、前記カバー筒（４６）の上端部に、切欠部（４７）を形成して、前記蓋部材（５０）の枠部（５２）と前記カバー筒（４６）の上端部との間の隙間を通した前記電気ケーブル（３３）を、前記切欠部（４７）を介して前記カバー筒（４６）に導入した請求項４記載の太陽電池パネル付きバルコニー。
【発明の詳細な説明】
【技術分野】
【０００１】
この発明は、手摺壁に太陽電池パネルを備え付けた太陽電池パネル付きバルコニーに関する。
【背景技術】
【０００２】
近年、戸建住宅やアパート、マンション等のバルコニーとして、例えば特許文献１にも開示されているように、手摺壁に太陽電池パネルを備え付けたものが各種提案されている。
【０００３】
この種の太陽電池パネル付きバルコニーにおいては、手摺壁の笠木や支柱等の中空部を利用して、太陽電池パネルに接続した電気ケーブルを引き回していることが多い。そして、引き回した電気ケーブルの宅内への取り込みに際しては、一般的には、建物外壁に防水処理を施した貫通孔を形成して、この貫通孔を通して電気ケーブルを取り込むようにしている。
【先行技術文献】
【特許文献】
【０００４】
【特許文献１】特許第３３２５４９７号公報
【発明の概要】
【発明が解決しようとする課題】
【０００５】
しかしながら、上記のようにして電気ケーブルを宅内へ取り込む場合、建物外壁に貫通孔を形成する必要があるため、見栄えが悪くなるといった不具合があった。また、電気ケーブルを手摺壁から建物外壁の貫通孔へ引き込む際に、電気ケーブルの一部が露出してしまうこともあり、見栄えをさらに悪くしたり、場合によっては感電の危険性を伴うこともあった。
【０００６】
この発明は、上記の不具合を解消して、太陽電池パネル付きバルコニーにおいて、太陽電池パネルに接続した電気ケーブルの取り込みを見栄え良く安全に行うことを目的とする。
【課題を解決するための手段】
【０００７】
上記課題を解決するため、この発明の太陽電池パネル付きバルコニーは、バルコニー床１の外周梁４の上側に立設した腰壁６と、この腰壁６の上側に立設した太陽電池パネル３と、この太陽電池パネル３の裏面側を覆い隠すように、前記腰壁６の上側に立設した被覆パネル７と、前記太陽電池パネル３及び被覆パネル７の上端部間に跨るように設けた笠木８とを備え、前記太陽電池パネル３と被覆パネル７との間の遮蔽空間を配線用空間Ｓ１としている。そして、前記腰壁６の内部空間Ｓ３と前記配線用空間Ｓ１とを連通するガイド筒４０を、前記腰壁６の上端部に貫通保持して、前記太陽電池パネル３に接続した電気ケーブル３３を、前記配線用空間Ｓ１、前記ガイド筒４０、前記腰壁６の内部空間Ｓ３を通して前記バルコニー床１の床下空間Ｓ４へ引き込むようにしたことを特徴とする。
【０００８】
具体的に、前記ガイド筒４０及び前記腰壁６の内部空間Ｓ３を通って前記バルコニー床１の床下空間Ｓ４へ至る可撓性を有する保護チューブ４１を設けて、この保護チューブ４１に前記電気ケーブル３３を挿通させている。
【０００９】
また、前記腰壁６は、枠状の壁フレーム２０と、この壁フレーム２０の外面側に張り付けた外壁材２１と、前記壁フレーム２０の内面側に張り付けた内壁材２２と、前記壁フレーム２０の上側横枠材２０ａの上面に取り付けた下地材２３と、この下地材２３に被せた捨水切り材２４と、この捨水切り材２４を上方から覆う下笠木２５とを備え、前記ガイド筒４０を、前記下笠木２５、捨水切り材２４及び下地材２３を貫通させた状態で前記壁フレーム２０の上側横枠材２０ａに貫通保持して、前記捨水切り材２４における前記ガイド筒４０の貫通部分に、前記ガイド筒４０に外嵌する筒状パッキン４３を取り付けている。
【００１０】
さらに、前記下笠木２５における前記ガイド筒４０の貫通部分に、前記ガイド筒４０を挿入するカバー筒４６を立設して、前記ガイド筒４０の上端開口４０ａよりも上方に位置する前記カバー筒４６の上端開口４６ａを、蓋部材５０によって覆うようにしている。
【００１１】
さらにまた、前記蓋部材５０は、前記カバー筒４６の上端開口４６ａを塞ぐ上面部５１と、この上面部５１の周端から垂下して、前記カバー筒４６の上端部を外側から囲む枠部５２とを備え、前記カバー筒４６の上端部に、切欠部４７を形成して、前記蓋部材５０の枠部５２と前記カバー筒４６の上端部との間の隙間を通した前記電気ケーブル３３を、前記切欠部４７を介して前記カバー筒４６に導入している。
【発明の効果】
【００１２】
この発明の太陽電池パネル付きバルコニーにおいては、太陽電池パネルに接続した電気ケーブルを、配線用空間からガイド筒、腰壁の内部空間を通してバルコニー床の床下空間へ引き込んでいることから、電気ケーブルを外部に露出させずに見栄え良く安全に宅内へ取り込むことできる。
【００１３】
また、電気ケーブルを保護チューブに挿通させることで、電気ケーブルの引き込み作業が容易となり、しかも引き込み時の電気ケーブルの傷付きを防止して、安全性をさらに高めることができる。
【００１４】
さらに、捨水切り材におけるガイド筒の貫通部分を筒状パッキンによって止水したり、下笠木におけるガイド筒の貫通部分をカバー筒によって止水したり、カバー筒の上端開口を蓋部材によって覆うことで、防水性を良好に維持することができる。
【図面の簡単な説明】
【００１５】
【図１】この発明の一実施形態に係る太陽電池パネル付きバルコニーの斜視図である。
【図２】同じくその要部の分解斜視図である。
【図３】同じくその縦断面図である。
【図４】同じくその腰壁付近の縦断面図である。
【図５】同じくその配線用空間付近の縦断面図である。
【図６】同じくその配線用空間付近の横断面図である。
【図７】電気ケーブルの配線状態を示す図である。
【図８】電気ケーブルを引き込むための構造の分解斜視図である。
【図９】ガイド筒の取付状態を示す縦断面図である。
【図１０】筒状パッキンの取付状態を示す縦断面図である。
【図１１】カバー筒の取付状態を示す縦断面図である。
【図１２】蓋部材の取付状態を示す縦断面図である。
【発明を実施するための形態】
【００１６】
以下、この発明の実施形態を図面に基づいて詳細に説明する。この発明の一実施形態に係る太陽電池パネル付きバルコニーは、例えば狭小の戸建住宅に適用されるもので、図１及び図２に示すように、バルコニー床１の周端部から立ち上がった手摺壁２に、複数の太陽電池パネル３が並設状態で備え付けられている。
【００１７】
手摺壁２は、図２に示すように、バルコニー床１の外周梁４上に固定された複数の支柱５と、これら支柱５に固定されて、バルコニー床１の外周梁４の上側に立設された腰壁６とを備えている。そして、手摺壁２の太陽電池パネル３の装着部位においては、図３乃至図５に示すように、腰壁６の上側に太陽電池パネル３が立設され、この太陽電池パネル３の裏面側を覆い隠すように、腰壁６の上側に被覆パネル７が立設され、これら太陽電池パネル３及び被覆パネル７の上端部間に跨るようにして笠木８が設けられている。なお、手摺壁２の一般部位(太陽電池パネル３の装着部位以外の部位)においては、図１に示すように、太陽電池パネル３及び被覆パネル７の代わりに、壁面材９が設けられている。
【００１８】
支柱５は、図６に示すように、柱材１０の周りをカバー材１１によって被覆した構造となっている。そして、図２及び図５に示すように、隣接する支柱５間に跨って、上側フレーム材１２及び下側フレーム材１３が取り付けられている。
【００１９】
腰壁６は、図２及び図４に示すように、隣接する支柱５の下端部間に跨って取り付けた複数の方形枠状の壁フレーム２０と、壁フレーム２０の外面側に横並びに張り付けた複数の外壁材２１と、壁フレーム２０の内面側に横並びに張り付けた複数の内壁材（下地合板）２２と、壁フレーム２０の上側横枠材２０ａの上面に取り付けた下地材２３と、下地材２３に被せた捨水切り材２４と、この捨水切り材２４を上方から覆う下笠木２５とを備えている。なお、捨水切り材２４及び下笠木２５は、支柱５を貫通させるようにして配されている。
【００２０】
太陽電池パネル３は、図５及び図６に示すように、太陽電池セルを複数配列した方形状の面材３０と、この面材３０の周端部に取り付けた方形枠状の外周枠３１とを備えている。そして、面材３０の裏面には、図３及び図７に示すように、太陽光発電により得られた電力を収集する収集器３２が取り付けられ、この収集器３２の正極側及び負極側の端子には、電気ケーブル３３がそれぞれ接続されている。この太陽電池パネル３は、上側フレーム材１２、下側フレーム材１３、隣接する支柱５に沿って取り付けた控え柱１４によって囲まれた枠内に嵌め込まれた状態で、外周枠３１が上側フレーム材１２、下側フレーム材１３、控え柱１４にビス止めされることで、腰壁６の上側に立設されている。
【００２１】
被覆パネル７は、図５及び図６に示すように、方形状の金属板又は合成樹脂板からなり、上側フレーム材１２、下側フレーム材１３、隣接する支柱５によって囲まれた枠内に嵌め込まれた状態で、その周端部が上側フレーム材１２、下側フレーム材１３、支柱５にビス止めされることで、腰壁６の上側に立設されている。
【００２２】
笠木８は、図２及び図５に示すように、支柱５及び上側フレーム材１２に被せられた状態で、上側フレーム材１２に係合且つビス止めされることで、太陽電池パネル３及び被覆パネル７の上端部間に跨るようにして設けられている。
【００２３】
上記の太陽電池パネル付きバルコニーにおいては、太陽電池パネル３と被覆パネル７との間の遮蔽空間（具体的には、上側フレーム材１２、下側フレーム材１３、隣接する支柱５、太陽電池パネル３、被覆パネル７によって囲まれた空間）が、配線用空間Ｓ１とされている。隣接する配線用空間Ｓ１の間には、支柱５が介在されているが、これら配線用空間Ｓ１は、笠木８と上側フレーム材１２との間の中空部Ｓ２を介して連通した状態となっている。そして、図７に示すように、複数の太陽電池パネル３の電気ケーブル３３は、それら太陽電池パネル３同士を電気的に直列接続するように、配線用空間Ｓ１及び中空部Ｓ２において引き回されて適宜接続されている。
【００２４】
太陽電池パネル３を直列接続した後、最終的に残った正極側及び負極側の２本の電気ケーブル３３は、配線用空間Ｓ１から宅内へ取り込まれることになるが、上記の太陽電池パネル付きバルコニーでは、電気ケーブル３３を見栄え良く安全に宅内へ取り込むための工夫がなされている。以下、その具体的構造について説明する。
【００２５】
すなわち、図４、図８及び図９に示すように、配線用空間Ｓ１と腰壁６の内部空間（具体的には、壁フレーム２０、外壁材２１、内壁材２２によって囲まれた空間）Ｓ３とを連通する例えば金属製の角筒状のガイド筒４０が、下側フレーム材１３、下笠木２５、捨水切り材２４及び下地材２３を貫通した状態で、腰壁６の壁フレーム２０の上側横枠材２０ａに貫通保持されている。
【００２６】
また、ガイド筒４０には、例えば合成樹脂製の可撓性を有する保護チューブ４１が挿通されている。この保護チューブ４１は、ガイド筒４０、腰壁６の内部空間Ｓ３、外周梁４の上フランジ４２の孔部４２ａを通って、バルコニー床１の床下空間Ｓ４へ至るように配されている。
【００２７】
さらに、捨水切り材２４におけるガイド筒４０の貫通部分には、図８及び図１０に示すように、例えばゴム製の筒状パッキン４３が取り付けられている。この筒状パッキン４３は、捨水切り材２４と下地材２３との間に挟み込まれた基板部４４と、捨水切り材２４の貫通孔２４ａを貫通するように基板部４４から立ち上がって、ガイド筒４０に外嵌された筒部４５とを備えている。
【００２８】
さらにまた、下笠木２５におけるガイド筒４０の貫通部分には、図８及び図１１に示すように、ガイド筒４０が挿入される例えば金属製の角筒状のカバー筒４６が立設されている。このカバー筒４６の上端部には、一対の半円弧状の切欠部４７が形成されている。
【００２９】
ガイド筒４０の挿入状態において、カバー筒４６の上端開口４６ａは、ガイド筒４０の上端開口４０ａよりも上方に位置しており、このカバー筒４６の上端開口４６ａが蓋部材５０によって覆われている。蓋部材５０は、図８及び図１２に示すように、カバー筒４６の上端開口４６ａを塞ぐ上面部５１と、この上面部５１の周端から垂下して、カバー筒４６の上端部を外側から囲む枠部５２とを備えている。そして、保護チューブ４１の上端部が、カバー筒４６の切欠部４７を通って、蓋部材５０の枠部５２とカバー筒４６の上端部との間の隙間から配線用空間Ｓ１内に臨んでいる。
【００３０】
２本の電気ケーブル３３の宅内への取り込みに際しては、電気ケーブル３３を、配線用空間Ｓ１内に臨む保護チューブ４１の上端部から挿入して、バルコニー床１の床下空間Ｓ４内に臨む保護チューブ４１の下端部から引き出して、宅内へ導くようにしている。
【００３１】
これにより、電気ケーブル３３は、配線用空間Ｓ１から蓋部材５０の枠部５２とカバー筒４６の上端部との間の隙間、切欠部４７を通ってカバー筒４６内に導入されて、ガイド筒４０、腰壁６の内部空間Ｓ３を通って、バルコニー床１の床下空間Ｓ４へ引き込まれた状態となり、外部に露出することなく、見栄え良く安全に宅内へ取り込まれることになる。
【００３２】
しかも、電気ケーブル３３は保護チューブ４１によって保護されているから、引き込み時の傷付きを防止することができる。さらに、捨水切り材２４におけるガイド筒４０の貫通部分が筒状パッキン４３によって止水され、下笠木２５におけるガイド筒４０の貫通部分がカバー筒４６によって止水され、さらにガイド筒４０の上端開口４０ａからの雨水の浸入が蓋部材５０によって阻止されていることから、防水性を良好に維持することができる。
【００３３】
以上に、この発明の実施形態について説明したが、この発明は、上記実施形態に限定されるものではなく、この発明の範囲内で種々変更して実施することが可能である。
【符号の説明】
【００３４】
１・・バルコニー床、３・・太陽電池パネル、４・・外周梁、６・・腰壁、７・・被覆パネル、８・・笠木、２０・・壁フレーム、２０ａ・・上側横枠材、２１・・外壁材、２２・・内壁材、２３・・下地材、２４・・捨水切り材、２５・・下笠木、３３・・電気ケーブル、４０・・ガイド筒、４０ａ・・ガイド筒の上端開口、４１・・保護チューブ、４３・・筒状パッキン、４６・・カバー筒、４６ａ・・カバー筒の上端開口、４７・・切欠部、５０・・蓋部材、５１・・蓋部材の上面部、５２・・蓋部材の枠部、Ｓ１・・配線用空間、Ｓ３・・腰壁の内部空間、Ｓ４・・床下空間
【図１】
2014043677.tif 000003
【図２】
2014043677.tif 000004
【図３】
2014043677.tif 000005
【図４】
2014043677.tif 000006
【図５】
2014043677.tif 000007
【図６】
2014043677.tif 000008
【図７】
2014043677.tif 000009
【図８】
2014043677.tif 000010
【図９】
2014043677.tif 000011
【図１０】
2014043677.tif 000012
【図１１】
2014043677.tif 000013
【図１２】
2014043677.tif 000014